(57)【要約】【課題】屋根のリフォーム前後の状態が見やすく展示された屋根の展示構造の提供。【解決手段】既存屋根の屋根材３上に、その屋根材３が露出した既存領域６を残して、新たな屋根材４が設けられたリフォーム後を示すリフォーム領域７が配置される。既存領域６では、既存屋根の屋根材３に、経年劣化したように加工するエイジング加工が施されている。リフォーム領域７は、既存領域６を挟んで桁行方向へ沿って配置される第一領域８および第二領域９を有している。第一領域８と第二領域９とでは、設けられる新たな屋根材４が異なっている。また、第一領域８と第二領域９とでは、新たな屋根材４と既存屋根の屋根材３との間に設けられる防水材１１および断熱材１０が露出した状態とされている。【選択図】図１
2020046483.tif 000002
【特許請求の範囲】
【請求項１】
既存屋根の屋根材上に、前記屋根材が露出した既存領域を残して、新たな屋根材が設けられたリフォーム後を示すリフォーム領域が配置された屋根の展示構造であって、
前記既存領域では、前記既存屋根の屋根材に、経年劣化したように加工するエイジング加工が施されており、
前記リフォーム領域は、前記既存領域を挟んで桁行方向へ沿って配置される第一領域および第二領域を有し、
前記第一領域と前記第二領域とでは、設けられる前記新たな屋根材が異なっており、前記新たな屋根材と前記既存屋根の屋根材との間に設けられる内部構成材が露出した状態とされている
ことを特徴とする屋根の展示構造。
【請求項２】
前記既存領域の軒先に既存の軒樋が設けられ、前記既存の軒樋に既存の縦樋が接続されており、
前記第一領域および前記第二領域の軒先それぞれにリフォーム後の新たな軒樋が設けられ、それぞれの前記新たな軒樋にリフォーム後の新たな縦樋が接続されている
ことを特徴とする請求項１に記載の屋根の展示構造。
【請求項３】
前記第一領域および／または前記第二領域には、太陽電池モジュールが設けられている
ことを特徴とする請求項１または請求項２に記載の屋根の展示構造。
【発明の詳細な説明】
【技術分野】
【０００１】
本発明は、住宅の屋根の展示に関するものであり、特に、屋根のリフォーム前後の状態を分かるように展示した屋根の展示構造に関するものである。
【背景技術】
【０００２】
住宅展示場において、住宅の壁、床および屋根などの内部構造を見学することができるように、種々の提案がなされている。たとえば、下記特許文献１に開示された展示用住宅では、屋根の一部を除去して吹き抜け状態とした箇所において、屋根の下地材から仕上げ材までをずらしながら段階的に施工して、各部材を露出させている。これにより、屋根の内部構造を実際に見て確認することができる。
【先行技術文献】
【特許文献】
【０００３】
【特許文献１】特許第３５１７１７２号公報
【発明の概要】
【発明が解決しようとする課題】
【０００４】
近年、住宅の屋根のリフォームが盛んに行われるようになっており、屋根のリフォーム前後の状態を確認できるようにすることが望まれている。しかも、見学者にとって、如何に分かり易く展示するかについて課題がある。そこで、本発明は、このような問題に鑑みてなされたものであり、その主たる目的は、屋根のリフォーム前後の状態が見やすく展示された屋根の展示構造を提供することにある。
【課題を解決するための手段】
【０００５】
上記目的を達成するための本発明に係る屋根の展示構造は、既存屋根の屋根材上に、前記屋根材が露出した既存領域を残して、新たな屋根材が設けられたリフォーム後を示すリフォーム領域が配置された屋根の展示構造であって、前記既存領域では、前記既存屋根の屋根材に、経年劣化したように加工するエイジング加工が施されており、前記リフォーム領域は、前記既存領域を挟んで桁行方向へ沿って配置される第一領域および第二領域を有し、前記第一領域と前記第二領域とでは、設けられる前記新たな屋根材が異なっており、前記新たな屋根材と前記既存屋根の屋根材との間に設けられる内部構成材が露出した状態とされていることを特徴とする。
【０００６】
また、本発明に係る屋根の展示構造は、前記既存領域の軒先に既存の軒樋が設けられ、前記既存の軒樋に既存の縦樋が接続されており、前記第一領域および前記第二領域の軒先それぞれにリフォーム後の新たな軒樋が設けられ、それぞれの前記新たな軒樋にリフォーム後の新たな縦樋が接続されていることを特徴とする。
【０００７】
さらに、本発明に係る屋根の展示構造は、前記第一領域および／または前記第二領域には、太陽電池モジュールが設けられていることを特徴とする。
【発明の効果】
【０００８】
本発明に係る屋根の展示構造によれば、リフォーム前を示す既存領域を挟んで、リフォーム後を示す第一領域および第二領域が配置される。ここで、既存領域の屋根材には、長年使い古したように加工するエイジング加工が施されている。また、第一領域および第二領域では、新たな屋根材の内部に配置される内部構成材が露出した状態とされている。従って、屋根のリフォーム前後の状態を見やすく展示することができる。しかも、第一領域と第二領域とでは、新たな屋根材の種類が異なるので、二つのリフォーム前後の状態を一度に分かり易く展示することができる。
【０００９】
また、本発明に係る屋根の展示構造によれば、屋根材のリフォーム前後の状態に加えて、軒樋および縦樋のリフォーム前後の状態が展示されるので、実際に行われるリフォームに近い状態を展示することができる。
【００１０】
さらに、本発明に係る屋根の展示構造によれば、第一領域および／または第二領域に太陽電池モジュールが設けられるので、太陽電池モジュールが設置されていないリフォーム前の状態と、リフォーム後の太陽電池モジュールが設置された状態とを見やすく展示することができる。
【図面の簡単な説明】
【００１１】
【図１】本発明の屋根の展示構造の一実施例を示す概略斜視図である。
【図２】図１の屋根の展示構造が展示施設内に設置された状態を示す概略平面図である。
【発明を実施するための形態】
【００１２】
以下、本発明の屋根の展示構造の具体的実施例を図面に基づいて詳細に説明する。
【００１３】
図１および図２は、本発明の屋根の展示構造の一実施例を示す概略図であり、図１は概略斜視図、図２は使用状態を示す概略平面図である。本実施例の屋根の展示構造１は、屋根のリフォーム前後の状態を示すものであり、展示施設内に設置される。本実施例の屋根の展示構造１は、展示施設の床面に設置される土台２と、土台２に設けられる既存の屋根材３と、既存の屋根材３上に設けられる二種類の新たな屋根材４と、既存の屋根材３と新たな屋根材４との間に設けられる内部構成材５とを備える。
【００１４】
土台２は、上下方向へ開口する筒状とされ、左右方向を長手方向とする平面視略長方形の角筒状に形成されている。土台２の上方への開口部は、前方へ行くに従って下方へ傾斜して形成されている。土台２は、軸方向が上下方向へ沿うようにして、展示施設の床面に設置される。
【００１５】
土台２の上端部には、上方への開口部を閉塞するようにして、複数の既存の屋根材３が葺設される。この際、複数の既存の屋根材３は、土台２の上端に設けられる下地部材に固定される。これにより、土台２の上端部には、勾配を有する既存屋根が形成される。なお、本実施例では、各屋根材３は、板状に形成されたカラーベストとされる。
【００１６】
既存屋根の屋根材３上には、その屋根材３が露出した既存領域６を残して、新たな屋根材４が設けられたリフォーム後を示すリフォーム領域７が配置される。ここで、リフォーム領域７は、既存領域６を挟んで左右方向（桁行方向）へ沿って配置される第一領域８および第二領域９を有している。本実施例では、第一領域８および第二領域９の左右長さは、既存領域６の左右長さよりも長く形成されている。
【００１７】
既存領域６では、既存屋根の屋根材３に、年数が経過したように見せるために、経年劣化したように加工するエイジング加工が施される。典型的には、屋根材３に凹凸や傷をつけたり、屋根材３の表面を汚したりして、屋根材３にエイジング加工がなされる。すなわち、屋根材３は、風雨などにさらされて古くなったように見えるようにわざと加工される。これにより、既存領域６においては、屋根のリフォーム前の状態が表現される。
【００１８】
既存領域６の左側に配置される第一領域８では、既存屋根の屋根材３上に、新たな屋根材４が設けられると共に、新たな屋根材４と既存屋根の屋根材３との間に設けられる内部構成材５が配置される。新たな屋根材４は、金属製で薄い平板状に形成されている。内部構成材５は、板状の断熱材１０と、シート状の防水材１１とを有している。新たな屋根材４および内部構成材５は、実際の現場と同様にして施工される。本実施例では、既存屋根の屋根材３上に敷設された防水材１１の上に複数の屋根材４が上下に沿って配置される。この際、各屋根材４と防水材１１との間には、断熱材１０が配置される。また、第一領域８では、新たな屋根材４に太陽電池モジュール１２が設置される。
【００１９】
第一領域８では、一部で内部構成材５が露出している。すなわち、新たな屋根材４および断熱材１０が施工されずに防水材１１が露出している箇所、および新たな屋根材４が施工されずに断熱材１０が露出している箇所が形成される。本実施例では、既存領域６と連続するようにして、第一領域８の右側から順に、防水材１１が露出している箇所、断熱材１０が露出している箇所、および新たな屋根材４が露出している箇所が形成されている。すなわち、第一領域８では、防水材１１、断熱材１０および新たな屋根材４は、既存領域６に隣接して、段階的にずらして施工されている。
【００２０】
既存領域６の右側に配置される第二領域９では、第一領域８と同様にして、既存屋根の屋根材３上に、新たな屋根材４が設けられると共に、新たな屋根材４と既存屋根の屋根材３との間に設けられる内部構成材５が配置される。ここで、第一領域８と第二領域９とでは、設けられる新たな屋根材４が異なる。第二領域９の新たな屋根材４は、正面視略波形状の屋根材とされる。内部構成材５は、凸形状の断熱材１０と、シート状の防水材１１とを有している。新たな屋根材４および内部構成材５は、実際の現場と同様にして施工される。本実施例では、既存屋根の屋根材３上に敷設された防水材１１の上に複数の屋根材４が上下および左右に沿って配置される。この際、各屋根材４と防水材１１との間には、断熱材１０が配置される。
【００２１】
第二領域９では、一部で内部構成材５が露出している。すなわち、新たな屋根材４および断熱材１０が施工されずに防水材１１が露出している箇所、および新たな屋根材４が施工されずに断熱材１０が露出している箇所が形成される。本実施例では、既存領域６と連続するようにして、第二領域９の左側から順に、防水材１１が露出している箇所、断熱材１０が露出している箇所、および新たな屋根材４が露出している箇所が形成されている。具体的には、第二領域９の上側部分では、防水材１１が露出した箇所に隣接して、新たな屋根材４が露出した箇所が形成されている。ここで、断熱材１０の左端部は、新たな屋根材４から左方へ延出して露出している。第二領域９の下側部分では、防水材１１、断熱材１０および新たな屋根材４が左側から順に露出している第一部分の下側に、防水材１１および新たな屋根材４が左側から順に露出している第二部分が形成されている。第二部分には、新たな屋根材４と既存屋根の屋根材３との間に、軒先から枯れ葉や小動物（コウモリなど）などが入るのを防止する閉塞材１３が露出している。このようにして、第二領域９では、防水材１１、断熱材１０および新たな屋根材４は、既存領域６に隣接して、段階的にずらして施工されている。
【００２２】
また、本実施例の屋根の展示構造１では、既存領域６の軒先に既存の軒樋１４が設けられ、その既存の軒樋１４に既存の縦樋１５が接続されている。一方、第一領域８および第二領域９の軒先それぞれには、リフォーム後の新たな軒樋１６が設けられ、それぞれの新たな軒樋１６には、リフォーム後の新たな縦樋１７が接続されている。本実施例では、既存の軒樋１４および新たな軒樋１６は、土台２の前面に固定されており、対応する領域の桁行方向全体にわたって設けられている。
【００２３】
さらに、本実施例の屋根の展示構造１では、第一領域８および第二領域９の上端部において、リフォーム後の新たな棟部材１８が配置されている。第一領域８および第二領域９では、棟部材１８は、水切り材１９および棟包材２０を有しており、棟包材２０が施工されずに水切り材１９が露出している箇所が形成されている。第一領域８では、水切り材１９が固定される下地材２１に防水材１１が被せられている箇所が露出しており、そこから既存領域６に下地材２１が延出している。
【００２４】
このような構成の屋根の展示構造１は、それを含む複数の展示物（住宅の構成部材や設備など）が展示される展示施設内に形成された通路２２の折り返し部に配置される。屋根の展示構造１は、前側である軒先側を通路２２に向けて、通路２２の折り返し部に設置される。図示例では、壁材２３と他の展示物２４とで形成された折り返し部に設置される。
【００２５】
本実施例の屋根の展示構造１の場合、既存領域６とリフォーム領域７とが配置されて、リフォーム前後の状態が展示される。この際、既存領域６では、屋根材３にエイジング加工が施されている。一方、リフォーム領域７では、防水材１１、断熱材１０および新たな屋根材４が露出した状態とされるので、リフォーム前後の状態を見やすく展示することができると共に、リフォーム後の屋根の構造を確認することができる。また、本実施例の屋根の展示構造１の場合、リフォーム領域７である第一領域８および第二領域９が既存領域６を挟んで配置される。ここで、第一領域８と第二領域９とでは、新たな屋根材４が異なっている。従って、二つのリフォーム後の状態を一つの構造上に分かり易く展示することができる。また、本実施例の屋根の展示構造１の場合、二つのリフォーム後を示す第一領域８および第二領域９において、リフォーム前の状態を示す既存領域６が共通化される。従って、構造自体を小さくして、省スペース化を図ることができる。
【００２６】
また、本実施例の屋根の展示構造１の場合、第一領域８および第二領域９において、既存領域６と連続するようにして、既存領域６から防水材１１、断熱材１０および新たな屋根材４が順に露出される。従って、防水材１１、断熱材１０および新たな屋根材４の施工手順を確認することができる。また、本実施例の屋根の展示構造１の場合、軒樋および縦樋に関して、リフォーム前後の状態が展示されるので、実際のリフォームに近い展示とすることができる。また、本実施例の屋根の展示構造１の場合、軒樋および縦樋に加えて、リフォーム後の新たな棟部材１８が展示されるので、屋根全体のリフォームについて確認することができる。
【００２７】
また、本実施例の屋根の展示構造１の場合、第一領域８に太陽電池モジュール１２が設置されるので、リフォーム後の太陽電池モジュール１２が設置された状態を分かり易く展示することができる。また、本実施例の屋根の展示構造１の場合、展示施設の通路２２の折り返し部に設置されるので、通常の通路幅よりも大きいスペースである折り返し部を有効に活用することができる。また、本実施例の屋根の展示構造１の場合、既存の屋根材３、新たな屋根材４、および内部構成材５上に、対応する部材の名称が記載された札が設けられるので、より分かり易く展示することができる。さらに、本実施例の屋根の展示構造１の場合、その構造に関する説明書きが隣接して配置されるので、リフォームのメリットをより分かり易く展示することができる。
【００２８】
本発明の屋根の展示構造は、前記実施例の構成に限らず、適宜変更可能である。たとえば、前記実施例では、新たな屋根材４は、金属製の板状部材と波形状の部材とされたが、これに限定されるものではなく、第一領域８と第二領域９とで新たな屋根材４の種類が異なっていればよい。また、前記実施例では、第一領域８の屋根材４に太陽電池モジュール１２が設置されたが、第二領域９の屋根材４に一般的な太陽電池モジュールを設けてもよいし、第一領域８の屋根材４に太陽電池モジュール１２を設けると共に、第二領域９の屋根材４に一般的な太陽電池モジュールを設けてもよい。
【産業上の利用可能性】
【００２９】
本発明の屋根の展示構造は、住宅の屋根のリフォーム前後の状態を示す展示に好適に適用される。
【符号の説明】
【００３０】
１  屋根の展示構造
３  既存の屋根材
４  新たな屋根材
５  内部構成材
６  既存領域
７  リフォーム領域
８  第一領域
９  第二領域
１０  断熱材
１１  防水材
１２  太陽電池モジュール
１４  既存の軒樋
１５  既存の縦樋
１６  新たな軒樋
１７  新たな縦樋
【図１】
2020046483.tif 000003
【図２】
2020046483.tif 000004